(57)【特許請求の範囲】
【請求項１】
対象物を作動させるためのシステムであって、
携帯端末から送信されるコマンドの実行の許可を示す権限情報を認証するための情報を予め記憶する記憶手段を有し、前記携帯端末から送信されるコマンドに応じて前記対象物の作動を制御する作動制御装置と、
前記携帯端末とネットワークを介して接続可能であり、かつ、前記作動制御装置とはネットワークを介して接続されておらず、前記権限情報を前記携帯端末へ送信するサーバと、
を含み、
前記サーバは、前記携帯端末からの要求に対応して、当該携帯端末による前記作動制御装置への前記コマンドの送信を許容する日時、時間帯、曜日または期間の少なくともいずれかを示す時間的条件を含む条件が満たされているか否かを判定し、当該時間的条件が満たされている場合に前記権限情報を前記携帯端末へ送信し、
前記作動制御装置は、前記携帯端末から前記コマンドと前記権限情報が送信された場合に、時間的条件を判定することなしに前記記憶手段に記憶されている情報を用いて前記権限情報を認証し、当該コマンドの内容に応じて前記対象物を作動させる、
作動制御システム。
【請求項２】
前記条件は、前記対象物の作動が前記携帯端末のユーザに許容されているか否かを示す使用者条件を含む、
請求項１に記載の作動制御システム。
【請求項３】
携帯端末から送信されるコマンドの実行の許可を示す権限情報を認証するための情報を予め記憶する記憶手段を有し、前記携帯端末から送信されるコマンドに応じて対象物の作動を制御する第１装置と、前記携帯端末とネットワークを介して接続可能であり、かつ、前記第１装置とはネットワークを介して接続されておらず、前記権限情報を前記携帯端末へ送信する第２装置と、を用いて前記対象物を作動させる方法であって、
前記第２装置が、前記携帯端末からの要求に対応して、当該携帯端末による前記第１装置への前記コマンドの送信を許容する日時、時間帯、曜日または期間の少なくともいずれかを示す時間的条件を含む条件が満たされているか否かを判定するステップと、
前記第２装置が、前記許容する条件が満たされている場合に前記権限情報を前記携帯端末へ送信するステップと、
前記第１装置が、前記携帯端末から前記コマンドと前記権限情報が送信された場合に、時間的条件を判定することなしに前記記憶手段に記憶されている情報を用いて前記権限情報を認証し、当該コマンドの内容に応じて前記対象物を作動させるステップと、
を含む、作動制御方法。
【発明の詳細な説明】
【技術分野】
【０００１】
本発明は、スマートフォン等の携帯端末を用いて種々の機器を作動させるための技術に関する。
【背景技術】
【０００２】
スマートフォン等の高機能な携帯端末の普及に伴い、携帯端末を用いて種々の機器を作動させる技術が望まれており、開発が進められている。例えば、住居やオフィスなどのドアに設置された鍵の開閉、あるいは照明装置の点消灯などを携帯端末によって制御することが考えられている。例えば、特開２０１２−２０７４５２号公報（特許文献１）には携帯端末を用いて鍵の開閉を行う従来技術が開示されている。
【０００３】
ところで、制御対象となる機器の管理者の利便性を考えると、各ユーザに対してどのような条件で機器の作動を行わせるための権限を与えるかということを管理者側で自在に設定できることが望ましい。例えば、鍵の開閉に関していえば、どのユーザに対してどのような時間的条件（期間、日時、曜日等）で鍵の開閉を行う権限を与えるかという条件を管理者側で簡単にコントロールできれば管理者側の利便性が向上する。
【先行技術文献】
【特許文献】
【０００４】
【特許文献１】特開２０１２−２０７４５２号公報
【発明の概要】
【発明が解決しようとする課題】
【０００５】
本発明は、種々の機器を携帯端末と連携して作動させる際の権限を与える条件を自在に設定することが可能な技術を提供することを目的の１つとする。
【課題を解決するための手段】
【０００６】
本発明の一態様に係る作動制御システムは、対象物を作動させるためのシステムであって、（ａ）携帯端末から送信されるコマンドに応じて前記対象物の作動を制御する作動制御装置と、（ｂ）前記コマンドに関する権限情報を前記携帯端末へ送信するサーバとを含み、（ｃ）前記サーバは、前記携帯端末からの要求に対応して、当該携帯端末による前記作動制御装置への前記コマンドの送信を許容する条件が満たされているか否かを判定し、当該許容する条件が満たされている場合に前記権限情報を前記携帯端末へ送信し、（ｄ）前記作動制御装置は、前記携帯端末から前記コマンドと前記権限情報が送信された場合に当該コマンドの内容に応じて前記対象物を作動させる、作動制御システムである。
【０００７】
本発明の一態様に係る作動制御方法は、携帯端末から送信されるコマンドに応じて対象物の作動を制御する第１装置と、前記コマンドに関する権限情報を前記携帯端末へ送信する第２装置とを用いて前記対象物を作動させる方法であって、（ａ）前記第２装置が、前記携帯端末からの要求に対応して、当該携帯端末による前記作動制御装置への前記コマンドの送信を許容する条件が満たされているか否かを判定するステップと、（ｂ）前記第２装置が、前記許容する条件が満たされている場合に前記権限情報を前記携帯端末へ送信するステップと、（ｃ）前記第１装置が、前記携帯端末から前記コマンドと前記権限情報が送信された場合に当該コマンドの内容に応じて前記対象物を作動させるステップを含む、作動制御方法である。
【発明の効果】
【０００８】
上記構成によれば、種々の機器を携帯端末と連携して作動させる際の権限を与える条件を自在に設定することが可能となる。
【図面の簡単な説明】
【０００９】
【図１】図１は、一実施形態の作動制御システムの概略構成を示す図である。
【図２】図２は、鍵開閉装置の構成を示すブロック図である。
【図３】図３は、錠開閉装置の設置位置を示す模式図である。
【図４】図４は、錠開閉装置のサムターン開閉機構の構成を示す縦断面図である。
【図５】図５は、携帯端末の構成を示すブロック図である。
【図６】図６は、サーバの構成を示すブロック図である。
【図７】図７は、各ユーザに対して権限情報を付与可能な条件を示すデータベースの一例を示す図である。
【図８】図８は、携帯端末からの要求に応じて権限情報を付与する際のサーバの動作手順を示すフローチャートである。
【図９】図９は、携帯端末で表示される操作画像の一例を示す図である。
【図１０】図１０は、権限情報の具体例を示す図である。
【図１１】図１１は、解錠または施錠を実行する際の携帯端末と鍵開閉装置の動作手順を示すフローチャートである。
【発明を実施するための形態】
【００１０】
図１は、一実施形態の作動制御システムの概略構成を示す図である。同図に示す作動制御システムは、ユーザの所持する携帯端末を用いて、住居やオフィスなどのドアに設置された鍵（対象物）の開閉を行わせるためのシステムである。この作動制御システムは、ドアの鍵に備わったサムターン４００を回転させて解錠、施錠を行うための鍵開閉装置１００と、ユーザが所持するスマートフォン等の携帯端末２００と、携帯端末２００へ各種情報を提供し、あるいは鍵の開閉に関する権限を与える等の処理を行うサーバ３００と、サーバ３００に接続された情報処理装置３１０を含んで構成されている。なお、鍵開閉装置１００が「第１装置」に対応し、サーバ３００が「第２装置」に対応する。
【００１１】
鍵開閉装置１００は、ドアのサムターン４００に対応付けて設置されており、このサムターン４００を回転させる機構を備えている。ここで、サムターン４００とは、例えば板状の摘み部を有しており、この摘み部を回転させることによってドア内部に内蔵された錠前を作動させるためのものである。例えば、サムターン４００の摘み部がほぼ垂直に位置する状態が「解錠」に対応し、摘み部がほぼ水平に位置する状態が「施錠」に対応している。鍵開閉装置１００は、このようなサムターン４００を自動的に回転させる。なお、このような鍵開閉装置１００の具体的な構成としては、種々の公知技術（例えば、特開２００２−１６８０１４号公報参照）を用いることができる。
【００１２】
携帯端末２００は、ユーザが所持するものであり、通信回線を介して通信を行う機能や、ブルートゥース（登録商標）などの近距離の無線通信機能を備えている。本実施形態では、携帯端末２００としてスマートフォンを想定するが、携帯電話機、ＰＨＳ、パーソナルコンピュータ（ＰＣ）、ノートＰＣ、携帯情報端末（ＰＤＡ）、家庭用ゲーム機器など、通信機能を備えたあらゆる端末に適用可能である。この携帯端末２００は、通信ネットワークＮを介してサーバ３００と相互に情報通信可能に接続されている。
【００１３】
サーバ３００は、携帯端末２００へ各種情報を提供し、あるいは鍵の開閉に関する権限を与える等の処理を行うためのものである。このサーバ３００は、例えば演算処理能力の高いコンピュータによって構成され、そのコンピュータにおいて所定のサーバ用プログラムを実行することによって構成される。
【００１４】
通信ネットワークＮは、携帯端末２００とサーバ３００の間で相互に情報通信を行うことが可能な通信網を含んで構成されている。通信ネットワークＮは、例えば、インターネット、ＬＡＮ、専用線、電話回線、企業内ネットワーク、移動体通信網その他の通信回線、それらの組み合わせ等のいずれであってもよく、有線であるか無線であるかを問わない。
【００１５】
情報処理装置３１０は、各種情報を受信してその内容を表示することや、操作部を用いて入力される情報を外部へ送信することが可能なものである。このような情報処理装置３１０としては、例えば、一般的なパーソナルコンピュータ、あるいはスマートフォンやタブレット型コンピュータなどの携帯型端末などを用いることができる。情報処理装置３１０は、サーバ３００における動作に必要な各種情報を設定するために用いられる。情報処理装置３１０とサーバ３００との間は、直接的に接続されてもよいし、ローカルエリアネットワーク等を介して接続されてもよいし、インターネット等の外部通信ネットワークを介して接続されてもよい。
【００１６】
図２は、鍵開閉装置１００の構成を示すブロック図である。図示のように鍵開閉装置１００は、制御部１０、メモリ２０、近距離通信部２１、サムターン開閉機構２２を備えている。
【００１７】
制御部１０は、例えばＣＰＵ等を備えたコンピュータシステムにおいて所定の動作プログラムを実行させることによって構成されるものであり、機能ブロックとしての認証処理部１１、開閉制御部１２を有する。
【００１８】
認証処理部１１は、携帯端末２００が鍵を解錠、施錠する権限を有するものであるかどうかを確認する処理（認証処理）を行う。この認証処理は、例えば、鍵の解錠等を行うことが許可されている携帯端末２００であることを示す権限情報を確認するための情報が予めメモリ２０に格納されており、その情報を用いて行われる。具体的には、認証処理部１２は、携帯端末２００に対してその携帯端末２００に予め付与された権限情報を送信することを要求し、携帯端末２００から返信された権限情報に含まれる特定の情報がメモリ２０に格納されている情報と一致する場合に、この携帯端末２００は解錠・施錠の権限を有するものと判断する。
【００１９】
開閉制御部１２は、認証処理部１１によって権限を有すると認証された携帯端末２００から送信された解錠または施錠を指示するコマンド（命令）に基づいて、サムターン開閉機構２２に動作指示命令を与える。また、開閉制御部１２は、サムターン開閉機構２２に対して「解錠」の動作指示命令を与えた後に一定時間が経過した場合には、サムターン開閉機構２２に「施錠」の動作指示命令を与える。
【００２０】
メモリ２０は、制御部１０と接続された記憶手段（例えば不揮発性メモリ）であり、制御部１０で実行される動作プログラムや各種のデータを記憶する。このメモリ２０には、認証処理部１１における処理に必要な情報が格納されている。
【００２１】
近距離通信部２１は、制御部１０と接続されており、制御部１０と携帯端末２００との間における比較的近距離での情報通信に関わる処理を行う。本実施形態では、近距離通信部２１は、公知のブルートゥース規格に基づいた情報通信を行うものである。
【００２２】
サムターン開閉機構２２は、サムターン４００に取り付けられており、制御部１０の開閉制御部１２から与えられる動作指示命令に応じてサムターン４００を「施錠」と「解錠」の各状態に対応する位置に作動させる。
【００２３】
図３は、錠開閉装置の設置位置を示す模式図である。また図４は、錠開閉装置のサムターン開閉機構の構成を示す縦断面図である。錠開閉装置１００は、例えばドア（扉）４１０の内側（部屋側）にあるサムターン４００に取り付け自在である。錠開閉装置１００は、例えば磁石によりドア４１０に着脱自在である。錠開閉装置１００は、例えばサムターン４００とその周囲を覆う筐体１６０を備えている。
【００２４】
錠開閉装置１００は、サムターン開閉機構２２として、サムターン４００を回転させるサムターン回転部１７０と、駆動源の動力によりサムターン回転部１７０を回転させる回転駆動機構１７１と、手動によりサムターン回転部１７０を回転させる手動回転部１７２と、電源部１７３等を筐体１６０内に備えている。
【００２５】
サムターン回転部１７０は、例えば略円柱状の円柱部１８０と、円柱部１８０の底面から後方側（図３の左側）に突出する脚部１８１を有している。
【００２６】
円柱部１８０は、例えば後方側の大径部１８３と、前方側（図３の右側）の小径部１８４を有している。大径部１８３の前方側の面には、回転駆動部材の凸状部１０１が嵌め込まれる溝部１８５が形成されている。溝部１８５は、サムターン回転部１７０の回転軸を中心とする円弧状に形成されている。溝部１８５の円弧の内角は、例えば２７０°（３／２×π（ｒａｄ））程度に形成されている。
【００２７】
脚部１８１は、円柱部１８０の回転軸を中心とする同一円周上に例えば４本設けられ、４本の脚部１８１によって幅の異なる溝路が十字状に形成されている。サムターン回転部１７０は、脚部１８１の間にサムターン４００を挟んで保持し回転することでサムターン４００を回すことができる。
【００２８】
手動回転部１７２は、例えば円柱状、或いは円盤状に形成され、サムターン回転部１７０の円柱部１８０の前方側に固定されている。手動回転部１７２は、筐体１６０の前面１６０ａに設けられた開口部１６０ｂに配置され、筐体１６０の前方側に突出している。手動回転部１７２の筐体１６０から突出した部分をユーザが手で保持し回転することによりサムターン回転部１７０を手動で回転させることができる。なお、手動回転部１７２には、サムターンのような摘み部があってもよい。
【００２９】
回転駆動機構１７１は、例えば遠隔操作により駆動する駆動源としてのモータ１９０と、サムターン回転部１７０の同軸上に設けられサムターン回転部１７０に係止可能な回転駆動部材１９１と、モータ１９０の動力を回転駆動部材１９１に伝達する伝達機構１９２を有している。
【００３０】
回転駆動部材１９１は、リング状に形成され、サムターン回転部１７０の円柱部１８０の小径部１８４にはめ込まれている。回転駆動部材１９１は、外周面に歯を有し、歯車を構成している。回転駆動部材１９１は、底面側に回転軸を中心とする円弧状の凸状部１０１を備えている。凸状部１０１の円弧の内角は、例えば１８０°程度に形成されている。凸状部１０１は、サムターン回転部１７０の円弧状の溝１８５にはめ込まれ、これにより、回転駆動部材１９１は、サムターン回転部１７０に回転方向に係止可能になっている。
【００３１】
伝達機構１９２は、例えば複数の歯車により構成されている。例えば伝達機構１９２は、モータ１９０の軸に取り付けられた歯車１１０と、回転駆動部材１９１の歯車とかみ合う歯車１１１等により構成されている。モータ１９０が駆動すると、歯車１１０、１１１が回転し、回転駆動部材１９１が回転する。
【００３２】
電源部１７３は、一つ又は複数の電池を備えている。電源部１７３は、モータ１９０や制御部１０等に電力を供給する。
【００３３】
図５は、携帯端末２００の構成を示すブロック図である。図示のように携帯端末２００は、制御部３０、メモリ４０、近距離通信部４１、通信部４２、表示部４３、入力部４４を備えている。
【００３４】
制御部３０は、例えばＣＰＵ等を備えたコンピュータシステムにおいて所定の動作プログラムを実行させることによって構成されるものであり、機能ブロックとしてのユーザ認証処理部３１、コマンド処理部３２を有する。
【００３５】
ユーザ認証処理部３１は、携帯端末２００によって鍵開閉装置１００の作動を行うことに関してサーバ３００から認証を得るための処理を行う。具体的には、ユーザ認証処理部３１は、例えば予めサーバ３００に登録しておいたユーザＩＤとパスワードを用いてサーバ３００に接続して鍵開閉装置１００に対して実行したいコマンドを通知し、権限情報の付与をサーバ３００に要求する。
【００３６】
コマンド処理部３２は、ユーザ認証処理部３１によってサーバ３００から取得された権限情報を用いて、鍵開閉装置１００に対して、サムターン４００の解錠または施錠を指示する命令（コマンド）を送信する処理を行う。
【００３７】
メモリ４０は、制御部３０と接続された記憶手段（例えば不揮発性メモリ）であり、制御部３０で実行される動作プログラムや各種のデータを記憶する。例えば、メモリ４０には、携帯端末２００に対してサーバ３００から付与された権限情報が格納される。
【００３８】
近距離通信部４１は、制御部３０と接続されており、制御部３０と鍵開閉装置１００との間における比較的近距離での情報通信に関わる処理を行う。本実施形態では、近距離通信部４１は、公知のブルートゥース規格に基づいた情報通信を行うものである。
【００３９】
通信部４２は、制御部３０と接続されており、制御部３０がネットワークＮを介してサーバ３００と情報通信するために必要な処理を行う。
【００４０】
表示部４３は、例えば制御部３０と接続された液晶表示パネルなどの表示手段であり、各種の画像表示を表示する。
【００４１】
入力部４４は、例えば制御部３０と接続されたキーボードなどの入力手段であり、各種情報を入力するために用いられる。
【００４２】
図６は、サーバ３００の構成を示すブロック図である。図示のようにサーバ３００は、制御部５０、メモリ６０、大容量記憶部６１、通信部６２および図示しない入力部、表示部などを含んで構成されている。
【００４３】
制御部５０は、例えばＣＰＵ等を備えたコンピュータシステムにおいて所定の動作プログラムを実行させることによって構成されるものであり、機能ブロックとしてのユーザ認証処理部５１、権限情報処理部５２を有する。
【００４４】
ユーザ認証処理部５１は、携帯端末２００からの要求に応じて、その携帯端末２００が登録されたユーザのものであるかを確認する処理である認証処理を行い、携帯端末２００によって鍵開閉装置１００の作動を行うことに関する権限情報を付与する。例えば、ユーザ認証処理部５１は、携帯端末２００から送信されるユーザＩＤとパスワードが予め登録されて大容量記憶部６１に記憶されているものである場合に、その携帯端末２００が登録されたユーザのものであると認証する。
【００４５】
権限情報処理部５２は、ユーザ認証処理部５１によって認証されたユーザの携帯端末２００に対して、鍵開閉装置１００を作動させるための権限情報を付与する。具体的には、権限情報処理部５２は、通信部６２を介して権限情報を携帯端末２００へ送信する。本実施形態の権限情報処理部５１は、権限情報を付与する際に、各ユーザに対してどのような条件で権限情報を付与可能であるかを判断しており、条件に合致する場合にのみ携帯端末２００に権限情報を付与する。
【００４６】
図７は、各ユーザに対して権限情報を付与可能な条件を示すデータベースの一例を示す図である。図７に例示するように、対象となる施設（例えば物件Ａ）ごとに、権限情報を付与可能なユーザ（許容ユーザ）が設定されており、かつ、各ユーザに対してそのユーザが利用可能な時間的条件（例えば、期間、日時、曜日、時間帯など）が設定され、大容量記憶部６１に記憶されている。権限情報処理部５２は、この大容量記憶部６１に記憶されている条件情報を参照し、権限情報を付与可能な条件を満たす場合には、その携帯端末２００に対して権限情報を付与する。このデータベースの構築は予め情報処理装置３００を用いて行われる。
【００４７】
メモリ６０は、制御部５０と接続された記憶手段（例えば不揮発性メモリ）であり、制御部５０で実行される動作プログラムや各種のデータを記憶する。
【００４８】
大容量記憶部６１は、例えばハードディスク装置などの記憶容量が大きい記憶装置であり、制御部５０の動作に必要な情報を記憶する。
【００４９】
通信部６２は、制御部５０と接続されており、制御部５０がネットワークＮを介して携帯端末２００と情報通信するために必要な処理を行う。
【００５０】
図８は、携帯端末からの要求に応じて権限情報を付与する際のサーバの動作手順を示すフローチャートである。サーバ３００のユーザ認証処理部５１は、携帯端末２００から鍵利用のためのログインが要求されたか否かを判定する（ステップＳ１１）。ログイン要求がない間は（ステップＳ１１；ＮＯ）、ステップＳ１１の判定が繰り返される。
【００５１】
ログイン要求がなされた場合には（ステップＳ１１；ＹＥＳ）、ユーザ認証処理部５１は、携帯端末２００から送信された情報に基づいて、この携帯端末２００のユーザが予め登録されているユーザであるか否かを判定する（ステップＳ１２）本実施形態では、携帯端末２００から送信されるユーザＩＤとパスワードが予め登録されて大容量記憶部６１に記憶されているものと一致する場合に、その携帯端末２００が登録されたユーザのものであると判定される。
【００５２】
登録されたユーザである場合に（ステップＳ１２；ＹＥＳ）、権限情報処理部５２は、ユーザ認証処理部５１によって認証されたユーザの携帯端末２００に対し、このユーザに権限情報を付与可能な対象物件を抽出し、その内容を示す操作画像を表示するためのデータを携帯端末２００へ送信する。（ステップＳ１３）。具体的には、権限情報処理部５２は、ログインが認証されたユーザに対して許容された対象物件（対象施設）を抽出し、さらに許容条件を参照して現在時刻において許容されている対象物件を抽出する。
【００５３】
図９は、携帯端末で表示される操作画像の一例を示す図である。図９（Ａ）に示すように、対象物件（例示の場合、物件Ａ）における対象ルーム（１０１号室、１０２号室・・・）を選択するための操作画像がサーバ３００から送信され、携帯端末２００の表示部４３にて表示される。なお、対象施設が複数ある場合には、図９（Ａ）の操作画像に先だって、対象物件を指定ないし選択するための操作画像がサーバ３００から送信されたデータに基づいて端末２００に表示される。図９（Ａ）の操作画像に基づいて１つの対象ルームが選択されると図９（Ｂ）の操作画像に遷移し、施錠と解錠のいずれかのコマンドを選択できる。例えば、現在が施錠された状態であれば、「解錠」のコマンドだけが選択でき、「施錠」のコマンドはグレーアウトして選択できないようにした操作画像が表示される（図９（Ｂ）参照）。反対に、現在が解錠された状態であれば、「施錠」のコマンドだけが選択でき、「解錠」のコマンドはグレーアウトして選択できないようにした操作画像が表示される。
【００５４】
なお、鍵開閉装置１００の現在の状態（解錠／施錠）については、例えばサーバ３００側で直近に権限情報を付与した際に要求されていたコマンドの内容が記憶されており、その記憶内容に基づいて判断できる。あるいは、鍵開閉装置１００から携帯端末２００へ現在の状態が通知され、それに基づいて携帯端末２００の制御部１０において表示画像の制御が行われてもよい。
【００５５】
権限情報処理部５２は、１つの対象ルームが選択され、かつ実行したいコマンドが選択されるまでの間は待機し（ステップＳ１４；ＮＯ）、対象ルームおよびコマンドが選択されると（ステップＳ１４；ＹＥＳ）、権限情報処理部５２は、その対象ルームに対応する権限情報を携帯端末２００に送信する（ステップＳ１５）。
【００５６】
図１０は、権限情報の具体例を示す図である。権限情報は、例えば、鍵利用ＩＤとパスワードを含んで構成される。鍵利用ＩＤは、鍵開閉装置１００に予め設定された鍵利用者の識別情報である。鍵開閉装置１００は、この鍵利用ＩＤと対応するパスワードが送信された場合に、それらを送信した携帯端末２００には鍵利用の権限があると判断する。
【００５７】
他方で、上記したステップＳ１２において登録ユーザではないと判定された場合（ステップＳ１２；ＮＯ）には、権限情報処理部５２は、所定の不許可処理を実行する（ステップＳ１６）。不許可処理とは、例えば、携帯端末２００に対して鍵利用を許容しない旨のメッセージを含む画像を表示させる処理である。
【００５８】
図１１は、解錠または施錠を実行する際の携帯端末と鍵開閉装置の動作手順を示すフローチャートである。携帯端末２００のコマンド処理部３２は、近距離通信部４１を介して、サーバ３００から付与された権限情報と実行したいコマンド（解錠／施錠）を示す情報を鍵開閉装置１００へ送信する（ステップＳ２１）。
【００５９】
鍵開閉装置１００の制御部１０は、近距離通信部２１を介して、権限情報とコマンドを示す情報を携帯端末２００から受信する（ステップＳ２２）。認証処理部１１は、受信した権限情報に基づいて、この携帯端末２００が鍵利用を許容されているものであることを確認する認証処理を行う（ステップＳ２３）。
【００６０】
認証処理が完了すると、鍵開閉装置１００の開閉制御部１２は、携帯端末２００から送信されたコマンド（解錠／施錠）に基づいて、サムターン開閉機構２２に動作指示命令を与え、サムターン開閉機構２２を作動させる（ステップＳ２４）。
【００６１】
次に、認証処理部１１は、近距離通信部２１を介して認証結果を示す情報を携帯端末２００へ送信し、開閉制御部１２は、近距離通信部２１を介して作動結果を示す情報を携帯端末２００へ送信する（ステップＳ２５）。
【００６２】
携帯端末２００のコマンド処理部３２は、近距離通信部４１を介して鍵開閉装置１００から認証結果、作動結果を示す各情報を受信する（ステップＳ２６）。その後、携帯端末２００のコマンド処理部３２は、近距離通信部４１を介して、認証結果と作動結果の各情報をサーバ３００へ送信する（ステップＳ２７）。
【００６３】
なお、１つのコマンドを送信する処理が完了した後には、携帯端末２００のコマンド処理部３２は、メモリ４０に格納した権限情報を消去することも好ましい。これにより、権限情報の不正利用を防ぐことができる。
【００６４】
以上のような実施形態によれば、種々の機器を携帯端末と連携して作動させる際の権限を与える条件をサーバ側で自在に設定して、携帯端末への権限付与をコントロールすることが可能となる。
【００６５】
なお、本発明は上記した実施形態に限定されるものではなく、本発明の要旨を逸脱しない範囲内において、他の様々な形で実施することができる。このため、上記実施形態はあらゆる点で単なる例示にすぎず、限定的に解釈されるものではない。
【００６６】
例えば、解錠コマンドの実行後、携帯端末２００から施錠コマンドが与えられずに所定の時間が経過した場合には、鍵開閉装置１００は、コマンドの有無によらず自動的にサムターン４００を「施錠」の状態に作動させるようにしてもよい。これは、携帯端末２００が鍵開閉装置１００から急に遠ざかったような場合など、携帯端末２００からの施錠コマンドを鍵開閉装置１００が受信できず、サムターン４００が「施錠」の状態に戻されない状況が続くことを防ぐためである。
【００６７】
また、上記した実施形態では、携帯端末２００を用いて作動させる対象物としてドアの鍵（サムターン）を例示していたが、本発明の適用範囲はこれに限定されるものではない。また、サムターンのように物理的な動作部分が伴う対象物に限らず電気的な動作部分のみを伴う対象物であっても本発明の適用範囲に含まれる。具体的には、例えば照明装置の点消灯、テレビジョン装置の制御（例えば電源のオンオフ切り替え等）、エアコン装置の電源のオンオフ切り替え、防火・防犯システムの作動制御、カーテンの自動開閉制御など種々の適用例が考えられる。
【符号の説明】
【００６８】
１０、３０、５０：制御部
１１：認証処理部
１２：開閉制御部
２０、４０、６０：メモリ
２１、４１：近距離通信部
２２：サムターン開閉機構
３１、５１：ユーザ認証処理部
３２：コマンド処理部
４２、６２：通信部
４３：表示部
４４：入力部
５２：権限情報処理部
６１：大容量記憶部
１００：鍵開閉装置
２００：携帯端末
３００：サーバ
３１０：情報処理装置
４００：サムターン
Ｎ：ネットワーク
【要約】
【課題】種々の機器を携帯端末と連携して作動させる際の権限を与える条件を自在に設定すること。
【解決手段】対象物を作動させるためのシステムであって、携帯端末(200)から送信されるコマンドに応じて対象物(400)の作動を制御する作動制御装置(100)と、コマンドに関する権限情報を携帯端末へ送信するサーバ(300)を含む。サーバは、携帯端末からの要求に対応して、携帯端末による作動制御装置へのコマンドの送信を許容する条件が満たされているか否かを判定し、許容する条件が満たされている場合に権限情報を携帯端末へ送信する。作動制御装置は、携帯端末からコマンドとともに権限情報が送信された場合にコマンドの内容に応じて対象物を作動させる。
【選択図】図１【図１】
0005965533.tif 000002
【図２】
0005965533.tif 000003
【図３】
0005965533.tif 000004
【図４】
0005965533.tif 000005
【図５】
0005965533.tif 000006
【図６】
0005965533.tif 000007
【図７】
0005965533.tif 000008
【図８】
0005965533.tif 000009
【図９】
0005965533.tif 000010
【図１０】
0005965533.tif 000011
【図１１】
0005965533.tif 000012